(57)【要約】【課題】眼鏡フレームの、材質、表面処理の品質、各部分のサイズ、ブランド名等のあらゆる情報を知ることができるようにする。【解決手段】眼鏡フレームの一部、たとえばテンプルに取り付けるモダンの内部にＩＣチップを埋設し、このＩＣチップに書き込んだ各種の情報を読み取り機で読み取るようにした。【選択図】図３
2006139199.tif 000002
【特許請求の範囲】
【請求項１】
眼鏡フレームの一部に、種々な情報を書き込んだＩＣチップを外方から見えないように埋設し、該ＩＣチップに記載した情報を読み取るようにしたことを特徴とするＩＣチップを有する眼鏡フレーム。
【請求項２】
前記ＩＣチップは、眼鏡フレームのテンプルに被嵌するモダンに埋設されている請求項１記載のＩＣチップを有する眼鏡フレーム。
【請求項３】
前記ＩＣチップに記載した情報は接触式の読み取り機で読み取れるようにした請求項１記載のＩＣチップを有する眼鏡フレーム。
【請求項４】
前記ＩＣチップに記載した情報は非接触式の読み取り機で読み取れるようにした請求項１記載のＩＣチップを有する眼鏡フレーム。
【請求項５】
前記ＩＣチップに、書き込み可能部と書き込み不可能部とを設定した請求項１〜４に記載のＩＣチップを有する眼鏡フレーム。
【発明の詳細な説明】
【技術分野】
【０００１】
この発明は高級な眼鏡フレームにおけるその品質、ブランド、サイズ等をデザイナー、生産者、流通業者から消費者にいたるまでの種々の情報を有する書き込んだＩＣチップを眼鏡フレームに埋設することにより各種情報や公明な流通を可能とすることができるＩＣチップを有する眼鏡フレームに関するものである。
【背景技術】
【０００２】
一般に眼鏡フレームにあっては、生産者から流通業者を介して消費者にいたるまで、そのファッション性も関係して知らせなければならない情報はかなり多いものである。たとえば、眼鏡フレームの材質、その表面処理の品質、眼鏡フレームの各部分のサイズ、ブランド名、生産者名などである。そして、従来は、これらの情報は眼鏡フレーム本体に刻印することによってしか伝達することができなかった。その刻印の大きさは眼鏡フレームの特性から０．５〜２．０ｍｍというかなり小さいものであった。
【０００３】
したがって、一般的には眼鏡フレームの消費者は、上記のような細かくて読み難い刻印の情報を頼りに購入品を決定しており、これは眼鏡フレームの消費者にとって極めて不都合なことである。
【０００４】
この問題を解消するために最も一般的に行われていることは、小売店において店員が口頭やカタログで説明を行うことであるが、店員の口頭による説明では全てのことを説明し得ない場合や、仮に店員が全てを説明したとしても消費者が覚えていられないことが多い。したがって、結果的にはその眼鏡フレームに関する僅かな情報しか有効的に活用されないものであった。
【０００５】
しかしながら、この発明においては従来全く存在しなかったＩＣチップを眼鏡フレームの構成部品の一部に埋設し、ＩＣチップの改ざんを防止するとともに、外部からＩＣチップを読み取って眼鏡フレームに関する多くの情報を知ることができるようにした従来全く存在し得ない全く新規な発明である。
【発明の開示】
【発明が解決しようとする課題】
【０００６】
この発明は、眼鏡フレームに消費者が知りたいあらゆる情報の他、材質、表面処理の品質、各部分のサイズ、ブランド名、メーカー名等のすべての情報をＩＣチップに書き込むことによりそれらを読み取って瞬時に知ることができ、その眼鏡フレームの製造からブランド名まですべての情報を知ることができるようにすることを目的とする。したがって、消費者に対しては結果的には、たとえば、ブランド名のタグが付されていてもそのブランド名の眼鏡フレームが本物のブランド品か否かも知ることができる。
【課題を解決するための手段】
【０００７】
この発明は、眼鏡フレームの一部に、種々な情報を書き込んだＩＣチップを外方から見えないように埋設し、該ＩＣチップに記載した情報を読み取るようにした手段を採用した。
そして、前記ＩＣチップは、眼鏡フレームのテンプルに被嵌するモダンに埋設され、前記ＩＣチップに記載した情報は接触式、あるいは非接触式の読み取り機で読み取れるようにし、さらに、前記ＩＣチップに、書き込み可能部と書き込み不可能部とを設定した手段を採用したものである。
【発明の効果】
【０００８】
この発明による眼鏡フレームにあっては、その一部にＩＣチップが付されているので、このＩＣチップにメーカー書き込み情報を固定化する機能を有し、さらに、卸商、小売商、消費者情報が書き込み可能な機能を有しているので、眼鏡フレームのすべての情報の公正さが保証され、消費者、流通業者、生産者の効率化が促進されて真の消費者保護が実現する。
【０００９】
また、ＩＣチップは外部から見えない部位に埋設することができるので眼鏡フレームのファッション性を阻害する恐れはない。
そして、ＩＣチップを眼鏡フレームの一部の内部に埋設させたことで、情報の改ざんなど不公正なこともできなくなり、ＩＣチップの損傷、取り替え等を防止することができる。
【００１０】
そして、ＩＣチップが付された眼鏡フレームは、消費者の積極的な購買意欲を起こし、また流通業者の商品選択幅を拡げて商品管理の効率化、消費者に対してのサービスも実現することができる。製造業者は、その者の技術を公正で品位の高い商品に付加して消費者に届けることができる。さらに、眼鏡フレームにおけるブランドの保持、公正な価格決定にも寄与することができるという効果を有している。
【発明を実施するための最良の形態】
【００１１】
眼鏡フレームにおいて、眼鏡フレーム本体に種々の情報を書き込んだＩＣチップを埋設することで、このＩＣチップに書き込んだ情報をいつでも取り出すことができて眼鏡フレームのすべての情報を瞬時に得ることができる。
【実施例】
【００１２】
以下、図面に示すこの発明の実施の形態について説明する。
図１にはこの発明による眼鏡フレームの実施の形態が示されていて、この眼鏡フレーム１はブリッジ２を介して連結された左右一対のリム３、３と、この左右一対のリム３、３の外側にそれぞれ取り付けられた鎧４、４と、両鎧４、４にそれぞれ開閉方向に回動可能に連結されたテンプル５、５とを有しており、テンプル５、５の端部には図２に示すようなモダン６、６がそれぞれ被嵌している。
【００１３】
なお、８、８は両リム３、３の内側に取り付けられた脚７、７に取り付けられて使用者の鼻の両側で保持するためのノーズパッド、９、９は両リム３、３によって保持されているレンズである。
【００１４】
上記のような眼鏡フレーム１の両テンプル５、５およびこのテンプル５、５に被嵌するモダン６、６は図３〜図５に示すように構成されており、図３は組み合わされた状態を示す図、図４は図３のＡ−Ａ線に沿って見た図、図５は図３のＢ−Ｂ線に沿って見た図である。モダン６、６は中央部に端部が細くなっているテンプル５、５の端部が差し込み可能であるように、端部が狭くなっている孔１０が設けられ、この孔１０内にテンプル５、５の端部を差し込んで取り付けることでモダン６、６が使用者の耳部に接触するようになっている。
【００１５】
前記モダン６にはその内部にアンテナ１５を有するＩＣチップ１６が埋設されており、全体の長さはモダン６の長さよりも僅かに短くなっている。言い換えれば、アンテナ１５を含めたＩＣチップ１６の長さよりもモダン６の方が僅かに長く形成し、モダン６の外面からＩＣチップ１６およびアンテナ１５が表出しないようになっている。したがって、図４および図５から明らかなように、モダン６の孔１０と平行にＩＣチップ１６およびそのアンテナ１５が埋設されている。
【００１６】
上記のようにモダン６にＩＣチップ１６を埋設し、しかもＩＣチップ１６にはアンテナ１５が設けられているので、ＩＣチップ１６に記載された情報は非接触で外部から読み取ることができる。
【００１７】
なお、前記アンテナ１５の長さによっては情報の読み取り距離が短くなるが、この時は接触式で外部に取り出すことができる。この場合、ＩＣチップ１６は埋設されているので読み取り装置に直接に接触するのではなく、埋設されている分のほんの僅かな距離を隔てた状態で情報を読み取ることになるが、このような場合には接触式と言うことにする。
【００１８】
すなわち、この発明は、あらゆる分野で拡大する情報をＩＣチップで対応しようとするものである。今まで、眼鏡フレームにおいては、そのサイズ、ファッション性のためにＩＣ化搭載は不可能と思われていた。しかし、情報の拡大、商品のグローバル化、消費者の自己責任などＩＣ化は必要な技術である。
【００１９】
まず、ＩＣ化で大きな問題であるＩＣチップの小型化は、現在１ｍｍ角以下の大きさまで進んできている。さらに、読み取り方法は眼鏡フレームの立体的な形状を考慮すると非接触式のものが好ましいが、ＩＣチップの埋設箇所によっては接触式であっても可能である。
【００２０】
そして、非接触式のタイプとして棒状のアンテナ付きＩＣチップを眼鏡フレームの構成部品に埋設させ、このＩＣチップに眼鏡フレームに関するあらゆるデータを書き込むものである。
【００２１】
眼鏡フレームはその形状が無限であり、あらゆる部品のサイズが小さいので全ての部品にＩＣチップを埋設するということは極めて不都合である。しかし、この発明の一実施の形態として耳部に掛ける部分であるモダンに埋設するということは、モダンは断面積が変わってもその長さはほぼ７０ｍｍから９０ｍｍとなっているので都合がよい。
【００２２】
このモダンの大きさは、アンテナ付きＩＣチップにおいて要求される大きさに全く合致することが判った。そして、アンテナの長さを調整することで読み取り距離を変更できるので眼鏡フレームにおける書き込み情報の個人情報保護も可能である。
そして、アンテナ長は、周波数２．４５ＧＨＺを用いた場合は３０ｍｍもしくは６０ｍｍとなるので眼鏡フレームに応用することができ、また、読み取り可能距離は、実用的な５０ｍｍ程度から１０００ｍｍ程度にできるものである。
【００２３】
また、前記のように接触式の場合にはモダンの長さに影響されることはないが、接触時にモダンに傷を付けないような手法が必要となる場合がある。
【００２４】
なお、前記実施の形態としてモダンにＩＣチップを埋設した場合について説明したが、これに限定することなく、たとえば、表面に複数層のコーティングを行って色彩を出したテンプルであっても内部にＩＣチップを埋設することが可能であり、埋設箇所は問わないものである。
【図面の簡単な説明】
【００２５】
【図１】この発明による眼鏡フレームを斜めから見た状態を示す概略図である。
【図２】モダンを示す概略図である。
【図３】テンプルとモダンとの連結状態を示す概略図である。
【図４】図３のＡ−Ａ線に沿って見た概略図である。
【図５】図３のＢ−Ｂ線に沿って見た概略図である。
【符号の説明】
【００２６】
１    眼鏡フレーム
２    ブリッジ
３    リム
４    鎧
５    テンプル
６    モダン
７    脚
８    ノーズパッド
９    レンズ
１０  孔
１５  アンテナ
１６  ＩＣチップ
【図１】
2006139199.tif 000003
【図２】
2006139199.tif 000004
【図３】
2006139199.tif 000005
【図４】
2006139199.tif 000006
【図５】
2006139199.tif 000007